【手続補正書】
【提出日】平成15年10月23日(2003.10.23)
【手続補正１】
【補正対象書類名】明細書
【補正対象項目名】０００５
【補正方法】変更
【補正の内容】
【０００５】
【発明が解決しようとする課題】
上記した従来の歌唱合成技術によると、次のような問題点がある。


【手続補正２】
【補正対象書類名】明細書
【補正対象項目名】００５１
【補正方法】変更
【補正の内容】
【００５１】
図６（Ａ）は、音韻遷移ＤＢ１４ｂに記憶される音韻遷移時間長（ａ）〜（ｆ）を示すものである。図６（Ａ）及び以下の説明において、「Ｖ Sil」等の記号の意味は次の通りである。


【手続補正３】
【補正対象書類名】明細書
【補正対象項目名】００５２
【補正方法】変更
【補正の内容】
【００５２】
（ａ）「Ｖ Sil」は、母音（Vowel）から無音（Silence）への音韻遷移を表わし、図６（Ｂ）では、例えば先行音韻「ａ」と後続音韻「Sil」との組合せに対応する。


【手続補正４】
【補正対象書類名】明細書
【補正対象項目名】００５３
【補正方法】変更
【補正の内容】
【００５３】
（ｂ）「Sil Ｃ」は、無音（Silence）から子音（Consonant）への音韻遷移を表わし、図６（Ｂ）では、例えば先行音韻「Sil」と後続音韻「ｓ」（図示せず）との組合せに対応する。


【手続補正５】
【補正対象書類名】明細書
【補正対象項目名】００５４
【補正方法】変更
【補正の内容】
【００５４】
（ｃ）「Ｃ Ｖ」は、子音（Consonant）から母音（Vowel）への音韻遷移を表わし、図６（Ｂ）では、例えば先行音韻「ｓ」（図示せず）と後続音韻「ａ」（図示せず）との組合せに対応する。


【手続補正６】
【補正対象書類名】明細書
【補正対象項目名】００５５
【補正方法】変更
【補正の内容】
【００５５】
（ｄ）「Sil Ｖ」は、無音（Silence）から母音（Vowel）への音韻遷移を表わし、図６（Ｂ）では、例えば先行音韻「Sil」と後続音韻「ａ」との組合せに対応する。


【手続補正７】
【補正対象書類名】明細書
【補正対象項目名】００５６
【補正方法】変更
【補正の内容】
【００５６】
（ｅ）「ｐＶ Ｃ」は、先行母音（Vowel）から子音（Consonant）への音韻遷移を表わし、図６（Ｂ）では、例えば先行音韻「ａ」と後続音韻「ｓ」（図示せず）との組合せに対応する。


【手続補正８】
【補正対象書類名】明細書
【補正対象項目名】００５７
【補正方法】変更
【補正の内容】
【００５７】
（ｆ）「ｐＶ Ｖ」は、先行母音（Vowel）から母音（Vowel）への音韻遷移を表わし、図６（Ｂ）では、例えば先行音韻「ａ」と後続音韻「ｉ」との組合せに対応する。


【手続補正９】
【補正対象書類名】明細書
【補正対象項目名】００６６
【補正方法】変更
【補正の内容】
【００６６】
Sil_ｓ，ｓ_ａ等の音韻遷移の継続時間を表わす継続時間情報は、先行音韻の時間長と後続音韻の時間長との組合せからなり、両時間長の境界を時間区切り情報として保持している。従って、この時間区切り情報を利用することにより音源回路２８に対して先行音韻の継続時間と後続音韻の開始時刻及び継続時間とを指示可能である。例えば、Sil_ｓの継続時間情報に基づいて無音の継続時間と子音「ｓ」の歌唱開始時刻Ｔ１１及び歌唱継続時間とを指示可能であり、ｓ_ａの継続時間情報に基づいて子音「ｓ」の継続時間と母音「ａ」の歌唱開始時刻Ｔ１及び歌唱継続時間とを指示可能である。


【手続補正１０】
【補正対象書類名】明細書
【補正対象項目名】００７２
【補正方法】変更
【補正の内容】
【００７２】
この後、ＴＰのａの情報とＳ１のＣ３の音高情報とに対応する音源制御情報を図５の音韻ＤＢ１４ａから読出して音源回路２８を制御することにより母音「ａ」の発生を継続する。このときの制御期間は、ＴＰのａの情報の指示する継続時間に対応する。次に、ＴＰのａ_ｉの情報とＳ２中のＤ３の音高情報とに対応する音源制御情報をＤＢ１４ｂから読出して音源回路２８を制御することにより時刻Ｔ２で母音「ａ」の発生を終了させると共に母音「ｉ」の発生を開始させる。このときの制御期間は、ＴＰのａ_ｉの情報の指示する継続時間に対応する。


【手続補正１１】
【補正対象書類名】明細書
【補正対象項目名】００９１
【補正方法】変更
【補正の内容】
【００９１】
ステップ９０で演奏データを取得した後、ステップ９２では、演奏データ中の歌唱音韻を分析する。音韻状態情報は、子音と母音との組合せ、母音のみ又は有声子音のみのいずれかを表わす。以下では、便宜上、子音と母音との組合せの場合をPhU  State  ＝  Consonant  Vowel  とし、母音のみ又は有声子音のみの場合をPhU  State  ＝  Vowel  とする。音素情報は、音素名（子音名及び／又は母音名）、子音のカテゴリ（鼻音、破裂音、半母音、その他）、子音の有声又は無声等を表わす。


【手続補正１２】
【補正対象書類名】明細書
【補正対象項目名】０１０６
【補正方法】変更
【補正の内容】
【０１０６】
ステップ１３８では、PhU  State  ＝  Consonant  Vowel  か判定する。この判定の結果が肯定的（Ｙ）であれば、ステップ１４０でConsonant歌唱長を算出する。この場合、図２５に示すように、子音歌唱時間は、無音から子音への音韻遷移時間長内の子音部と、Consonant歌唱長と、子音から母音への音韻遷移時間長内の子音部との加算によって決まる。従って、Consonant歌唱長は、子音歌唱時間の一部となる。


【手続補正１３】
【補正対象書類名】明細書
【補正対象項目名】０１１２
【補正方法】変更
【補正の内容】
【０１１２】
ステップ１４８では、PhU  State  ＝  Consonant  Vowel  か判定する。この判定の結果が肯定的（Ｙ）であれば、ステップ１５０でConsonant歌唱長を算出する。この場合、図２９に示すように、子音歌唱時間は、先行母音から子音への音韻遷移時間長内の子音部と、Consonant歌唱長と、子音から母音への音韻遷移時間長内の子音部との加算によって決まる。従って、Consonant歌唱長は、子音歌唱時間の一部となる。


【手続補正１４】
【補正対象書類名】明細書
【補正対象項目名】０１１３
【補正方法】変更
【補正の内容】
【０１１３】
図２９には、演奏情報に含まれる歌唱子音伸縮率が１より大きい場合においてConsonant歌唱長を決定する例を示す。この場合、ｐV Cの子音長とC Vの子音長とを加算したものを基本単位とし、これに歌唱子音伸縮率を乗算したものをConsonant歌唱長Ｃとする。そして、ｐV CとC Vとの間にConsonant歌唱長Ｃを介在させることによって子音歌唱時間を伸長する。


【手続補正１５】
【補正対象書類名】明細書
【補正対象項目名】０１１６
【補正方法】変更
【補正の内容】
【０１１６】
図３１（Ａ）〜（Ｃ）には、互いに異なる音韻接続パターンを示す。（Ａ）のパターンは、例えば先行母音「あ」−「さ（ｓａ）」に対応し、子音「ｓ」を伸長するためにConsonant歌唱長Ｃが挿入されている。（Ｂ）のパターンは、例えば、先行母音「あ」−「ぱ（ｐａ）」に対応する。（Ｃ）のパターンは、例えば、先行母音「あ」−「い（ｉ）」に対応する。


【手続補正１６】
【補正対象書類名】明細書
【補正対象項目名】０１２７
【補正方法】変更
【補正の内容】
【０１２７】
ステップ１７６では、定常部に対応するNONE遷移時間長（NONEs遷移時間長）を算出する。この場合、次の演奏データを受信しないと、NONEs遷移時間長に続く接続状態が明確にならないため、「次の演奏データとの間に無音が挿入される」と仮定し、図３６に示すようにRelease遷移を接続した状態でNONEs遷移時間長を算出する。すなわち、先行母音からのNtN遷移時間長のＴ１及びＴ２の境界と本演奏データの実歌唱開始時刻（Current  Note  On）とが一致し且つRelease遷移終了時刻（Release遷移時間長の終端位置）とV_Silの終了時刻とが一致するように本演奏データの実歌唱開始時刻とV_Silの終了時刻と先行母音からのNtN遷移時間長とRelease遷移時間長とに基づいてNONEs遷移時間長を算出する。


【手続補正１７】
【補正対象書類名】図面
【補正対象項目名】図６
【補正方法】変更
【補正の内容】
【図６】
2002202788.tif 000001
【手続補正１８】
【補正対象書類名】図面
【補正対象項目名】図２９
【補正方法】変更
【補正の内容】
【図２９】
2002202788.tif 000002
【手続補正１９】
【補正対象書類名】図面
【補正対象項目名】図３０
【補正方法】変更
【補正の内容】
【図３０】
2002202788.tif 000003
【手続補正２０】
【補正対象書類名】図面
【補正対象項目名】図３１
【補正方法】変更
【補正の内容】
【図３１】
2002202788.tif 000004
【手続補正２１】
【補正対象書類名】図面
【補正対象項目名】図３３
【補正方法】変更
【補正の内容】
【図３３】
2002202788.tif 000005